【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
遊技機に設置された固有の監視用ＩＤ情報を記憶した監視用ＩＣタグと、
監視用アンテナを介して前記監視用ＩＣタグと無線通信を実行する監視制御装置とを有しており、
前記監視制御装置が、前記監視用アンテナを介して、前記遊技機に設置された前記監視用ＩＣタグとの間で、前記監視用ＩＣタグに記憶された監視用ＩＤ情報が監視制御装置内に記憶された前記監視用ＩＣタグに関する監視用ＩＤ情報と一致するか否かを確認する無線通信を周期的に繰り返し実行し、その無線通信が所定の結果である場合に、所定の監視情報を外部に出力する遊技機用監視システムであって、
前記監視用ＩＣタグおよび前記監視用アンテナによる監視状態を異なる態様に切り替えるための所定の管理用ＩＤ情報を記憶した認証用ＩＣタグと、
前記認証用ＩＣタグと無線通信を行って前記管理用ＩＤ情報を読み取る認証用アンテナとが設けられているとともに、
前記認証用アンテナが前記監視制御装置に接続されており、
前記監視制御装置が前記認証用アンテナを介して前記認証用ＩＣタグと無線通信を実行した結果、前記認証用ＩＣタグから読み取られた管理用ＩＤ情報が、予め監視制御装置内に記憶された管理用ＩＤ情報と一致し、且つ、その一致した状態が所定時間未満しか継続しなかった場合には、前記監視用ＩＣタグと前記監視用アンテナとの間の無線通信状態が変化した場合に前記監視制御装置から前記監視情報の代わりに認証情報を出力する認証制御を実行する一方、
前記監視制御装置が前記認証用アンテナを介して前記認証用ＩＣタグと無線通信を実行した結果、前記認証用ＩＣタグから読み取られた管理用ＩＤ情報が、予め監視制御装置内に記憶された管理用ＩＤ情報と一致し、且つ、その一致した状態が前記所定時間以上に亘って継続した場合には、前記認証制御とは異なる管理制御を実行することを特徴とする遊技機用監視システム。
【請求項２】
前記管理制御が、前記監視用ＩＣタグに関する新たな監視用ＩＤ情報を前記監視制御装置に記憶させるものであることを特徴とする請求項１に記載の遊技機用監視システム。
【請求項３】
前記管理制御において前記監視制御装置に記憶させる新たな監視用ＩＤ情報が、前記管理用ＩＤ情報の一致状態が所定時間以上に亘って継続した後に最初に読み込んだ監視用ＩＤ情報であることを特徴とする請求項２に記載の遊技機用監視システム。
【請求項４】
前記管理用ＩＤ情報の一致状態が所定時間以上に亘って継続した場合に、そのことを報知する報知手段が設けられていることを特徴とする請求項１〜３のいずれかに記載の遊技機用監視システム。
【請求項５】
前記監視制御装置内に記憶された管理用ＩＤ情報が、認証用ＩＤ情報に付加された属性であって、
前記認証用ＩＤ情報を記憶した第２認証用ＩＣタグと前記監視制御装置との間で無線通信を行った場合、前記監視制御装置は、前記第２認証用ＩＣタグから読み取られた認証用ＩＤ情報と、予め監視制御装置内に記憶された認証用ＩＤ情報とが一致すると、その一致状態の継続時間に拘わらず、前記認証制御を実行することを特徴とする請求項１〜４のいずれかに記載の遊技機用監視システム。
【請求項６】
請求項１〜５のいずれかに記載の遊技機用監視システムによって監視されることを特徴とする遊技機。
【手続補正２】
【補正対象書類名】明細書
【補正対象項目名】０００９
【補正方法】変更
【補正の内容】
【０００９】
かかる本発明の内、請求項１に記載された発明の構成は、遊技機に設置された固有の監視用ＩＤ情報を記憶した監視用ＩＣタグと、監視用アンテナを介して前記監視用ＩＣタグと無線通信を実行する監視制御装置とを有しており、前記監視制御装置が、前記監視用アンテナを介して、前記遊技機に設置された前記監視用ＩＣタグとの間で、前記監視用ＩＣタグに記憶された監視用ＩＤ情報が監視制御装置内に記憶された前記監視用ＩＣタグに関する監視用ＩＤ情報と一致するか否かを確認する無線通信を周期的に繰り返し実行し、その無線通信が所定の結果である場合に、所定の監視情報を外部に出力する遊技機用監視システムであって、前記監視用ＩＣタグおよび前記監視用アンテナによる監視状態を異なる態様に切り替えるための所定の管理用ＩＤ情報を記憶した認証用ＩＣタグと、前記認証用ＩＣタグと無線通信を行って前記管理用ＩＤ情報を読み取る認証用アンテナとが設けられているとともに、前記認証用アンテナが前記監視制御装置に接続されており、前記監視制御装置が前記認証用アンテナを介して前記認証用ＩＣタグと無線通信を実行した結果、前記認証用ＩＣタグから読み取られた管理用ＩＤ情報が、予め監視制御装置内に記憶された管理用ＩＤ情報と一致し、且つ、その一致した状態が所定時間未満しか継続しなかった場合には、前記監視用ＩＣタグと前記監視用アンテナとの間の無線通信状態が変化した場合に前記監視制御装置から前記監視情報の代わりに認証情報を出力する認証制御を実行する一方、前記監視制御装置が前記認証用アンテナを介して前記認証用ＩＣタグと無線通信を実行した結果、前記認証用ＩＣタグから読み取られた管理用ＩＤ情報が、予め監視制御装置内に記憶された管理用ＩＤ情報と一致し、且つ、その一致した状態が前記所定時間以上に亘って継続した場合には、前記認証制御とは異なる管理制御を実行することにある。
【手続補正３】
【補正対象書類名】明細書
【補正対象項目名】００１１
【補正方法】変更
【補正の内容】
【００１１】
請求項３に記載された発明の構成は、請求項２に記載された発明において、前記管理制御において前記監視制御装置に記憶させる新たな監視用ＩＤ情報が、前記管理用ＩＤ情報の一致状態が所定時間以上に亘って継続した後に最初に読み込んだ監視用ＩＤ情報であることにある。
【手続補正４】
【補正対象書類名】明細書
【補正対象項目名】００１２
【補正方法】変更
【補正の内容】
【００１２】
請求項４に記載された発明の構成は、請求項１〜３のいずれかに記載された発明において、前記管理用ＩＤ情報の一致状態が所定時間以上に亘って継続した場合に、そのことを報知する報知手段が設けられていることにある。
【手続補正５】
【補正対象書類名】明細書
【補正対象項目名】００１３
【補正方法】変更
【補正の内容】
【００１３】
請求項５に記載された発明の構成は、請求項１〜４のいずれかに記載された発明において、前記監視制御装置内に記憶された管理用ＩＤ情報が、認証用ＩＤ情報に付加された属性であって、前記認証用ＩＤ情報を記憶した第２認証用ＩＣタグと前記監視制御装置との間で無線通信を行った場合、前記監視制御装置は、前記第２認証用ＩＣタグから読み取られた認証用ＩＤ情報と、予め監視制御装置内に記憶された認証用ＩＤ情報とが一致すると、その一致状態の継続時間に拘わらず、前記認証制御を実行することにある。
【手続補正６】
【補正対象書類名】明細書
【補正対象項目名】００１７
【補正方法】変更
【補正の内容】
【００１７】
請求項３に記載された遊技機用監視システムは、管理制御において監視制御装置に記憶させる新たな監視用ＩＤ情報が、管理用ＩＤ情報の一致状態が所定時間以上に亘って継続した後に最初に読み込んだ監視用ＩＤ情報であるため、取り替え後の新規な「識別情報」に基づき監視動作を再開させる際に、新たな「識別情報」を確実に監視制御装置に記憶させることができる。したがって、請求項３に記載された遊技機用監視システムによれば、監視制御装置による監視動作がより精度の高いものとなる。
【手続補正７】
【補正対象書類名】明細書
【補正対象項目名】００１８
【補正方法】変更
【補正の内容】
【００１８】
請求項４に記載された遊技機用監視システムは、管理用ＩＤ情報の一致状態が所定時間以上に亘って継続した場合に、そのことが報知手段によって報知されるので、「管理制御」が実行されたことを容易に認識することができる。また、パチンコホール管理者以外の者が不正目的で「管理制御」を実行する事態を防止することができる。
【手続補正８】
【補正対象書類名】明細書
【補正対象項目名】００１９
【補正方法】変更
【補正の内容】
【００１９】
請求項５に記載された遊技機用監視システムは、監視制御装置内に記憶された管理用ＩＤ情報が、認証用ＩＤ情報に付加された属性であって、認証用ＩＤ情報を記憶した第２認証用ＩＣタグと監視制御装置との間で無線通信を行った場合、監視制御装置は、第２認証用ＩＣタグから読み取られた認証用ＩＤ情報と、予め監視制御装置内に記憶された認証用ＩＤ情報とが一致すると、その一致状態の継続時間に拘わらず、認証制御を実行するため、認証用ＩＣタグに管理用ＩＤ情報を記憶させたり、認証用ＩＣタグから管理用ＩＤ情報を消去したりすることにより、１つの認証用ＩＣタグを、「認証制御」の実行のみが可能なものと、「認証制御」及び「管理制御」の実行が可能なものとの２通りの態様で使用することができるので、きわめて利便性に優れている。
【手続補正９】
【補正対象書類名】明細書
【補正対象項目名】００４７
【補正方法】変更
【補正の内容】
【００４７】
そして、Ｓ５で“ＹＥＳ”と判断された場合には、Ｓ６で、監視用ＩＣタグに関する新たな「識別情報」をＲＷ６６に記憶させる「管理制御」を実行する。したがって、監視システムＳにおいては、ＲＷ６６に記憶された「店員ＩＤ」および属性を記憶させた正規の管理用の店員カード２４９を用いて、所定の時間（ｔ０ ）以上の時間に亘って通信ユニット３３にかざして認証用アンテナ２０６と近接させた場合（すなわち、所定の時間以上に亘って「店員ＩＤ」および属性を認証させた場合）にのみ「管理制御」を実行させることができる。尚、Ｓ５で“ＮＯ”と判断された場合、すなわち管理用の店員カード２４９を認証用アンテナ２０６に近接させてから、その近接状態が所定の時間（ｔ０）に亘って継続されなかった場合には、「認証制御」を実行することになる。
【手続補正１０】
【補正対象書類名】図面
【補正対象項目名】図１１
【補正方法】変更
【補正の内容】
【図１１】
2007117490.tif 000001